(57)【要約】      （修正有）【課題】装置がより簡単でコンパクトであり、既存のムーブメント内への統合が容易な改善された装置の提供。【解決手段】巻き上げ位置と時刻設定位置との間でレバー５２により並進可能に駆動されるスライドピニオンに回転伝達的に結合されたムーブメント・ステムと、巻き上げ制御位置と時刻設定制御位置との間で摺動し且つ引き出し機構６を作動させる制御ステム１とを含む時計ムーブメント用の巻き上げ及び時間設計制御装置に関する。この装置は、上記機構６が、第１の軸Ａ１の周りに、制御ステム１と共に移動可能なアーム部４０Ａと、前記レバー５２を駆動しムーブメント・ステム内のハウジングの内部で移動可能なアーム部６０Ａを含む第２の引き出し要素６０の相補的ピボットと協働するピボット４０Ｂとを含む第１引き出し要素４０を備えることを特徴とする。【選択図】図３
2011185938.tif 000002
【特許請求の範囲】
【請求項１】
ムーブメント・プレート（１１）内で軸（４）を中心に回転し且つスライドピニオン（８）が回転伝達的に結合されたムーブメント・ステム（２）を含むタイプの時計ムーブメント用の巻き上げ及び時刻設定制御装置（１００）であって、
前記スライドピニオン（８）は、スライドピニオン・レバー（５２）の作用により、一方では前記スライドピニオン（８）が巻き上げ機構（２０）と協働して前記巻き上げ機構（２０）を回転可能に設定するよう配置される巻き上げ位置と、他方では、前記スライドピニオン（８）が時刻設定機構（２４）と協働して前記時刻設定機構（２４）を回転可能に設定するよう配置される時刻設定位置との間で軸方向に前記軸（４）に沿って並進移動可能であり、
前記装置（１００）が更に、伝達手段（５）によって前記ムーブメント・ステム（２）に回転可能に接続され、且つ前記ムーブメント・ステム（２）に対してずらされて長手方向軸（３）を中心に回転し、少なくとも巻き上げ制御位置と時刻設定制御位置との間で軸方向に摺動可能であり且つ手動制御クラウンと協働するように配置された制御ステム（１）を含み、
前記スライドピニオン・レバー（５２）は、前記巻き上げ制御位置と前記時刻設定制御位置との間の前記第１のステム（１）の摺動によって作動される引き出し機構（６）の一部を形成し、前記スライドピニオン（８）は、前記制御ステム（１）が前記巻き上げ制御位置にあるときには前記巻き上げ位置において前記巻き上げ機構（２０）と噛み合い、又は前記制御ステム（１）が前記時刻設定制御位置にあるときには、前記時刻設定機構（２４）と噛み合い、前記引き出し機構（６）は、レバーを形成し且つ第１の枢動軸（Ａ１）を挟んで前記制御ステム（１）の並進運動の影響により並進移動する第１の引き出し要素アーム部（４０Ａ）と、ピボット（４０Ｂ）とを含む第１の引き出し要素（４０）を含む巻き上げ及び時刻設定制御装置（１００）において、
前記ピボット（４０Ｂ）は、第３の枢動軸（Ａ３）に沿って、レバーを形成し且つ第２の枢動軸（Ａ２）を挟んで一方では前記ムーブメント・ステム（２）内に含まれるハウジング（６１）の内部で移動可能な第２の引き出し要素アーム部（６０Ａ）と他方では前記相補的ピボット（６０Ｂ）とを含む第２の引き出し要素（６０）内に含まれる相補的ピボット（６０Ｂ）と協働し、前記第２の引き出し要素（６０）が前記スライドピニオン・レバー（５２）を駆動して、該スライドピニオン（８）を移動させる、
ことを特徴とする装置。
【請求項２】
前記第１の引き出し要素アーム部（４０Ａ）は、前記第１のステム（１）に含まれる第１の溝（４１）に係合することを特徴とする、請求項１に記載の装置。
【請求項３】
前記第２の引き出し要素アーム部（６０Ａ）は、前記ムーブメント・ステム（２）に含まれる第２の溝（６１）に係合し、前記第２の溝の幅は、該第２の引き出し要素アーム部（６０Ａ）の幅よりも広いことを特徴とする、前記請求項のいずれかに記載の装置。
【請求項４】
前記スライドピニオン・レバー（５２）はアーム部（５３）を含み、そのアーム部（５３）は、前記スライドピニオン（８）の溝（５１）に係合されて前記スライドピニオン（８）に並進的に結合されている、ことを特徴とする、前記請求項のいずれかに記載の装置。
【請求項５】
前記第２の枢動軸（Ａ２）は、前記第１の枢動軸（Ａ１）と平行であることを特徴とする、前記請求項のいずれかに記載の装置。
【請求項６】
前記制御ステム（１）への操作の間、前記第１の引き出し要素（４０）及び前記第２の引き出し要素（６０）に対して同一の角度クリアランスを確保するように、前記第２の枢動軸（Ａ２）を前記第１の枢動軸（Ａ１）と整列させることを特徴とする、請求項５に記載の装置。
【請求項７】
前記制御ステム（１）の前記長手方向軸（３）は、前記ムーブメント・ステム（２）の前記軸（４）と平行であることを特徴とする、請求項１〜６のいずれかに記載の装置。
【請求項８】
前記第２の引き出し要素（６０）は、枢動軸（Ａ４）を中心とするピボット回転接続を介した前記スライドピニオン・レバー（５２）との接合接続部を含むことを特徴とする、請求項１〜７のいずれかに記載の装置。
【請求項９】
前記伝達手段（５）は、１より大きいか又は１に等しい奇数の中間ピニオン（４５）を含むことを特徴とする、請求項１〜８のいずれかに記載の装置。
【請求項１０】
前記中間ピニオン（４５）の軸は、前記ムーブメント・ステム（２）の軸（４）と平行であることを特徴とする、請求項９に記載の装置。
【請求項１１】
前記中間ピニオン（４５）の少なくとも１つの軸は、前記制御ステム（１）の長手方向軸（３）及び前記ムーブメント・ステム（２）の軸（４）によって形成される平面に対してずらされることを特徴とする、請求項７または１０に記載の装置。
【請求項１２】
前記装置は、前記ムーブメント・プレート（１１）に固定され且つ前記制御ステム（１）を回転誘導するための手段（１７）を含む追加プレート（１６）と、この追加プレート（１６）に固定されたボックス（７０）とを更に含み、当該ボックス（７０）は、それを閉鎖するフランジ（１５）と協働して前記伝達手段（５）を収容し、前記伝達手段（５）のための回転誘導手段を形成する
ことを特徴とする、請求項１〜１１のいずれかに記載の装置。
【請求項１３】
前記付加的プレート（１６）は、前記第１の引き出し要素（４０）に含まれ且つ前記第１の枢動軸（Ａ１）を形成するピボット（７１）を受けるための少なくとも１つの軸受（７３）を含み、前記ムーブメント・プレート（１１）は、前記第２の引き出し要素（６０）に含まれ且つ前記第２の枢動軸（Ａ２）を形成するピボット（７２）を受けるための少なくとも１つの軸受（７４）を含むことを特徴とする、請求項１２に記載の装置。
【請求項１４】
ムーブメント・プレート（１１）内で軸（４）を中心に回転し且つスライドピニオン（８）が回転伝達的に結合されたムーブメント・ステム（２）を含むタイプの少なくとも１つの時計ムーブメントを備える時計であって、
前記スライドピニオン（８）が、スライドピニオン・レバーの作用により、一方では前記スライドピニオン（８）が巻き上げ機構（２０）と協働して該巻き上げ機構（２０）を回転的に動作させる巻き上げ位置と、他方では前記スライドピニオン（８）が時刻設定機構（２４）と協働して該時刻設定機構（２４）を回転的に設定する時刻設定位置との間で軸方向に前記軸（４）に沿って並進移動でき、
前記ムーブメントの１つと関連付けられた請求項１〜１３のいずれかに記載の少なくとも１つの装置（１００）が設けられている、
ことを特徴とする時計。
【請求項１５】
前記ムーブメント・ステム（２）が並進的に不動であることを特徴とする、請求項１４に記載の時計。
【発明の詳細な説明】
【技術分野】
【０００１】
本発明は、ムーブメント・プレート内で軸を中心に回転でき且つスライドピニオンが回転伝達的に固定されたムーブメント・ステムを含む時計ムーブメントに関し、そのような時計ムーブメント用の巻き上げ及び時刻設定制御装置に係るものである。スライドピニオンは、スライドピニオン・レバーの作用により、一方ではスライドピニオンが巻き上げ機構と協働して該巻き上げ機構の回転を行わせる巻き上げ位置と、他方ではスライドピニオンが時刻設定機構と協働して該時刻設定位置の回転を設定する時刻設定位置との間において、軸に沿って並進して摺動できる。本装置は、伝達手段によってムーブメント・ステムに回転伝達状態に連結された制御ステムにして、ムーブメント・ステムからずらして配置されており、長手方向軸を中心に回転でき、少なくとも巻き上げ制御位置と時刻設定制御位置との間で軸方向に摺動可能であり、且つ手動制御用のクラウンと協働するように構成された制御ステムを含む。スライドピニオン・レバーは、巻き上げ位置と時刻設定位置との間で摺動する制御ステムによって作動される引き出し機構の一部を形成する。スライドピニオンは、制御ステムが巻き上げ制御位置にあるときには、巻き上げ位置において巻き上げ機構と噛み合い、一方、制御ステムが時刻設定位置にあるときには、時刻設定機構と噛み合う。
本発明は、時計ムーブメント用の巻き上げ及び時刻設定機構の分野に関する。
【背景技術】
【０００２】
単一部品又は整列させた２部品の形の通常の巻き上げステムの代わりに、互いに高さ方向にずらされて運動学的に接続された２つのステムを使用することは、複雑さを伴う機械式時計において複雑な要素が、文字板と基本ムーブメントとの間の空間を占める場合、すなわち、ムーブメントが時計ケースの中心面よりも低く配置されることを意味する場合には有利である。通常の巻き上げステムの外部クラウンは、ベゼルよりもケースの裏蓋にかなり近接することになり、これは不便で見た目が悪い。２ステム式装置は、クラウンを従来の好都合な場所、すなわちケースの中間の高さに保持する。
【０００３】
例えば、Ｃｈｏｐａｒｄ  Ｉｎｔｅｒｎａｔｉｏｎａｌ  ＳＡのスイス特許第６９１６２１号、及び、Ｄｕｂｏｉｓ＆Ｄｅｐｒａｚ  ＳＡの欧州特許第１１３４６２８号に開示されたような、このタイプの周知の装置においては、２つのステムが伝達装置によって回転伝達的に連結され、更に並進的に結合され、ユーザが制御クラウンを引き出したときに、第２のステムが第１のステムの後に続くようにする。結果として、第２のステム、すなわちムーブメント内に延びるステムは、従来のステムの全ての機能を満たし、従来のステムと同じ部材（引き出し部品、スライドピニオン、巻き上げピニオン）を備えなければならない。２つのステムを接続する歯車が占める場所に起因して、設計者は、これらの部材をムーブメントの内部に向けて僅かにずらさざるを得ない。更に、２つのステムを連結して並進的に結合させるには、歯車を含む移動可能フレームを必要とし、装置が必要とする空間を増大させる必要がある。一般に軸方向の位置が第２のステム上に位置決めされる場合には、このフレーム内に必然的に存在する軸方向の遊びにより、第１のステムの軸方向位置の不正確さが生じる。
【０００４】
Ｗｉｌｈｅｌｍ  Ｋｏｅｈｌｅｒの独国特許第５９３６５４号に開示された巻き上げ及び設定装置の２つのステムもまた、伝達装置によって回転伝達的に連結され、並進的に結合されている。この特許文献に開示された装置は、スライドピニオンも又は引き出し機構も含まないという点で前述の文献とは異なる。時刻設定位置への切り替えは、巻き上げクラウンを押すことによって達成される。この文献によれば、第２のステムは、ユーザが巻き上げステムに加えた圧力を受けてステムが並進移動するときに時刻設定機能と噛み合うクラウンホイールを支持する。
【０００５】
中間部と裏蓋との間のムーブメントを受け入れる空間内に収容され且つ該ムーブメントと協働することが意図された第１のステムを含む２部品の巻き上げステムもまた、Ｓｅｉｋｏ  Ｉｎｓｔｒｕｍｅｎｔｓ  Ｉｎｃ．の欧州特許第１５６００８２号により周知である。第１のステムと平行である第２の部分は、一端においては、各部分に含まれる歯を介して第１のステムと協働し、他方の端部においてはクラウンを支持する。２つのステムは、弾性的に取り付けられた保持フレームを介して、中心から適切な距離で２つの軸受を含むスペーサ上に共に保持される。比較的制限された容積において第１のステム、スペーサ、第２のステム及びフレームの連続的な挿入が考案され、分解も実施可能である。しかしながら、フレームは、必然的に時計ケース内に一定の容積を占有する。更に、ピボット回転による誘導は制限されるので、巻き上げ中に高いトルクを伝達するにはフレームによる懸架式連結は好ましいものではない。軸方向の遊びはまた、ステムの軸方向の位置の不正確さにもつながる。
【０００６】
巻き上げ及び時刻設定クラウンを時計ケースの中心面に保持する問題に対する良好な解決策は、ＭＯＮＳＴＲＥＳ  ＢＲＥＧＵＥＴ  ＳＡの欧州特許第１７４８３３０号により周知である。この特許は、巻き上げ位置と時刻設定位置との間で軸方向に摺動し、時計のクラウンに固定される第１の回転ステムと、該第１のステムと平行且つずらされた第２のステムとを有し、巻き上げ機構及び時刻設定機構を選択的に回転駆動するための手段が設けられた装置を開示している。これらの２つのステムは、伝達装置によって回転伝達的に結合される。第２のステムは、スライドピニオンに回転伝達的に結合され、レバーの作用により、２つの位置の間で軸方向に移動可能である。このレバーの一端は、スライドピニオンの周辺溝内に係合される。レバーは、それぞれの巻き上げ位置と時刻設定位置との間で摺動する第１のステムによって作動される引き出し機構の一部を形成し、ここでスライドピニオンは、巻き上げ機構及び時刻設定機構とそれぞれ噛み合う。
【先行技術文献】
【特許文献】
【０００７】
【特許文献１】スイス特許第６９１６２１号
【特許文献２】欧州特許第１１３４６２８号
【特許文献３】独国特許第５９３６５４号
【特許文献４】欧州特許第１５６００８２号
【特許文献５】欧州特許第１７４８３３０号
【発明の概要】
【発明が解決しようとする課題】
【０００８】
本発明の目的は、装置がより簡単でコンパクトであり、既存のムーブメント内への統合が容易であるという意味で従来技術と比べて改善された装置を提供することである。
【課題を解決するための手段】
【０００９】
従って、本発明は、ムーブメント・プレート内で軸を中心に回転でき且つスライドピニオンが回転伝達的に固定されたムーブメント・ステムを含む時計ムーブメントに関し、そのような時計ムーブメント用の巻き上げ及び時刻設定制御装置に係るものである。スライドピニオンは、スライドピニオン・レバーの作用により、一方ではスライドピニオンが巻き上げ機構と協働して該巻き上げ機構の回転を行わせる巻き上げ位置と、他方ではスライドピニオンが時刻設定機構と協働して該時刻設定位置の回転を設定する時刻設定位置との間において、軸に沿って並進して摺動する。本装置は、伝達手段によってムーブメント・ステムに回転伝達状態に連結された制御ステムにして、ムーブメント・ステムからずらして配置されており、長手方向軸を中心に回転でき、少なくとも巻き上げ制御位置と時刻設定制御位置との間で軸方向に摺動可能であり、且つ手動制御用のクラウンと協働するように構成された制御ステムを含む。スライドピニオン・レバーは、巻き上げ位置と時刻設定位置との間で摺動する制御ステムによって作動される引き出し機構の一部を形成する。スライドピニオンは、制御ステムが巻き上げ制御位置にあるときには、巻き上げ位置において巻き上げ機構と噛み合い、一方、制御ステムが時刻設定位置にあるときには、時刻設定機構と噛み合う。本装置によれば、引き出し機構が、第１の引き出しレバーとなる第１の引き出し要素を含み、第１の枢動軸を挟んで制御ステムの並進運動の影響下で並進移動する第１の引き出し部品アーム部とピボットとを含み、このピボットは、第２の引き出しレバーに含まれる相補的ピボットと第３の枢動軸上で協働し、更に、第２の枢動軸を挟んで一方にはムーブメント・ステム内のハウジング内部で移動する第２の引き出し要素アーム部を、他方には相補的ピボットを含むことを特徴とする。上記第２の引き出し要素は、上記スライドピニオンを移動させるように上記スライドピニオン・レバーを駆動する。
【００１０】
本発明の１つの特徴によれば、第２の枢動軸は、第１の枢動軸と整列され、制御ステムの操作中に第１及び第２の引き出し要素に対して同一の角度クリアランスを確保する。
【００１１】
本発明の別の特徴によれば、制御ステムの長手方向軸は、ムーブメント・ステムの軸と平行であり、伝達手段は、１より多い又は１に等しい奇数の中間ピニオンを含み、該中間ピニオンの少なくとも１つの軸は、制御ステムの長手方向軸及びムーブメント・ステムの軸によって形成される平面に対してずらされる。
【００１２】
本発明はまた、ムーブメント・プレート内で軸を中心に回転でき且つスライドピニオンが回転伝達的に結合されたムーブメント・ステムを含むタイプの少なくとも１つの時計ムーブメントを含む時計に関する。スライドピニオンは、スライドピニオン・レバーの作用により、一方ではスライドピニオンが巻き上げ機構と協働して該巻き上げ機構を回転的に動作させ得る巻き上げ位置と、他方ではスライドピニオンが時刻設定機構と協働して回転的に設定できる時刻設定位置との間で、軸方向に軸に沿って並進移動可能である。本時計はまた、このタイプの少なくとも１つの装置を含む。
【００１３】
従って、第１のステムの軸方向の移動によって指定される、巻き上げと時刻設定との間の切り替えは、改善された引き出し機構によって第２のステムにおいて行なわれ、この改善された引き出し機構は、コンパクトで特に堅固であり、これにより並進移動するフレームの前述の欠点が回避される。引き出し装置は、立証され高さが低いという利点を有する。ずらされた中間ピニオンの位置により、制御ステムとムーブメント・ステムとの間のいずれかの所望の中心間距離値が可能になる。
本装置を既存のムーブメントに適合させることは特に容易である。
【００１４】
本発明の好ましい実施形態によれば、第２のステムは摺動せず、スライドピニオンが摺動可能に係合される、例えば正方形断面のような非円形横断面の断面を含み、スライドピニオンは、引き出し機構のレバーの一端が係合する周辺溝を有する。この結果、簡素化された軸受を有する極めてコンパクトな構成となる。
【００１５】
本発明の他の特徴及び利点は、添付図面を参照して非限定的な実施例として好ましい実施形態を提示する以下の説明から明らかになるであろう。
【図面の簡単な説明】
【００１６】
【図１】装置が巻き上げ制御位置にあるときの、本発明による装置内に含まれる制御ステム、中間ピニオン及びムーブメント・ステムの軸を通る破線に沿った長手方向の概略断面図である。
【図２】装置内に含まれる、第１の引き出し要素の第１の枢動軸及び第２の引き出し要素の第２の枢動軸、並びに第１の引き出し要素と第２の引き出し要素との間の連結部の第３の枢動軸を通る、図１の断面に対して実質的に直交する横断面の部分概略図である。
【図３】第１の引き出し要素が制御ステムによってどのように制御されるか、及び第１の引き出し要素と第２の引き出し要素との間のリンク、並びに第２の引き出し要素とスライドピニオンの位置を制御するレバーとの間のリンクを示す、図１又は図２の装置の部分概略斜視図である。
【図４】第１の引き出し要素の第１の枢動軸及び第２の引き出し要素の第２の枢動軸に沿った図３と同様の図である。
【図５】第１の引き出し要素と第２の引き出し要素との間の連結部の第３の枢動軸に沿った図３と同様の図である。
【発明を実施するための形態】
【００１７】
本発明は、時計ムーブメント用の巻き上げ及び時刻設定機構の分野に関する。
本発明は、時計ムーブメント用の巻き上げ及び時刻設定制御装置１００に関する。
【００１８】
図に示される装置は、巻き上げ及び時刻設定のために２つのステム、すなわち制御ステム１とムーブメント・ステム２とを含み、これらそれぞれの回転軸３及び４は平行であるが、時計ムーブメントの全体面に対して垂直又は斜め方向に互いに対して高さ方向でずらされている。これらのステム１及び２は、２つの運動学的なリンクによって、すなわち、定常的に噛み合って一方のステムから他方のステムに回転を伝達する歯車伝達装置５と、軸方向の動きを第１のステム１からスライドピニオン８に伝達する引き出し機構６とによって連結されている。装置全体は、時計のムーブメント・プレート１１から固定要素すなわちブリッジによって支持されている。巻き上げピニオン２１を含む巻き上げ機構２０、及び、作動機構中間ホイール２５を含む時刻設定機構２４も、これらの固定要素上に取り付けられている。
【００１９】
ここで言及される時計ムーブメントは、従来のタイプのものであり、長手方向軸４を中心に回転でき、ムーブメント・プレート１１において少なくとも１つのショルダー２Ａ上に誘導されるムーブメント・ステム２を含む。ムーブメント・ステム２は、スライドピニオン８と回転を伝えるように結合され、そのスライドピニオンは、スライドピニオン・レバー５２の作用により軸４に沿って軸方向に移動可能である。このスライドピニオン８は、一方では、スライドピニオン８が巻き上げ機構２０と協働して該巻き上げ機構を回転的に動作させる巻き上げ位置と、他方では、スライドピニオン８が時刻設定機構２４と協働して該時刻設定機構を回転的に設定する時刻設定位置との間で並進移動する。スライドピニオン８は、その中央の角穴を介して、ムーブメント・ステム２の正方形断面部９に、回転伝達はできるが摺動可能な状態に取り付けられる。図に示される実施形態においては、ムーブメント・ステム２は摺動せず、すなわち、その軸方向の位置は固定される。ムーブメント・ステム２の両端部には、円筒形ピボットが設けられることが好ましい。フランジ１５内及びムーブメント・プレート１１のボア４３内に取り付けられた軸受又は宝石４２は、回転軸受を形成し、該軸受はステム２を支持して、これを軸方向に保持する。ピニオン４４はステムに固定され、中間ピニオン４５に常時噛み合い、このようにして歯車伝達装置の最後のピニオンを形成する。
【００２０】
ムーブメント・ステム２は、巻き上げピニオン２１が当接できる直線状又は円錐状ショルダーの形態の縁部を含み、該巻き上げピニオンは、ムーブメント・ステム２の円筒形ショルダー４６上に自由に取り付けられている。ピニオン２１は、従来設計のものであり、好ましくは、巻き上げ位置にあるスライドピニオン８との間でその対応するコントレート歯（フェース・ギアの歯）４８と協働できるブレゲ（Ｂｒｅｇｕｅｔ）型のコントレート歯４７、及び、中間ホイール（図示せず）と定常的に噛み合う直線歯４９を含む。スライドピニオン８の他方の端部には、スライドピニオン８が時刻設定位置にあるときに、作動機構中間ホイール２５と噛み合うように考案されたコントレート歯５０を備える。スライドピニオン８はまた、スライドピニオン・レバー５２がそれに係合される周辺溝５１を有する。
【００２１】
装置１００は、伝達手段５によってムーブメント・ステム２に回転伝達的に連結され、ムーブメント・ステム２に対してずらされた、すなわちこれと整列されていない制御ステム１を含む。この制御ステム１は、長手方向軸３を中心に回転でき、少なくとも巻き上げ制御位置と時刻設定制御位置との間で軸方向に摺動できる。制御ステム１は、図示されていない手動制御のクラウンと協働するように構成されることが好ましい。制御ステム１の軸３は、図１及び図２に示されるように、ムーブメント・ステム２の軸４に対して平行であることが好ましい。制御ステム１は、第１の円筒部３０と、その直径が第１の円筒部の直径よりも小さい第２の円筒部３１とを含むことが好ましい。これらの部分は、制御ステム１が巻き上げ位置と時刻設定位置との間で摺動できるように、軸受として働くプレート１６の固定要素１４、１３のボア内に摺動可能に取り付けられる。他の実施形態においては、例えば、日付設定用にステム１に第３の位置を設けることができる。従来の巻き上げステムと同様に、ステム１は、時計ケースの中間部を貫通し、ケースの外側で手動制御ステムを支持するねじ付き端部３２を有する。
【００２２】
ステム１の正方形断面部３４は、固定要素１３及び１４間に軸方向に保持されている、第１のピニオン３５の対応する部分のオリフィス内に係合される。ピニオン３５の中央オリフィスは、要素１３の円筒部分に嵌合する円形断面部分を含むこともでき、この部分は、例えば、ムーブメントをケースに入れるために、ステム１が外されたときにピニオン３５を半径方向に支持するための軸受として働く。ステム１の円筒部３０には、第１の引き出し要素４０のスタッド又はアーム部４０Ａが係合される管状溝４１が存在する。時計職人がステム１を取り外したいときには、第１の引き出し要素４０を下げて、スタッドを溝から解放することができる。
【００２３】
スライドピニオン・レバー５２は、引き出し機構６の一部を形成し、第１のステム１を巻き上げ制御位置と時刻設定制御位置との間で摺動させることによって作動される。スライドピニオン８は、制御ステム１が巻き上げ制御位置にあれば、巻き上げ位置において巻き上げ機構２０と噛み合う。スライドピニオン８は、制御ステム１が時刻設定制御位置にあれば、時刻設定機構２４と噛み合う。
【００２４】
本発明によれば、引き出し機構６は、制御ステム１と協働する第１の引き出し要素４０を含む。この第１の引き出し要素４０はレバーを形成し、第１の枢動軸Ａ１を挟んで、一方で制御ステム１の並進運動の影響下で並進移動する第１の引き出し要素のアーム部４０Ａと、他方ではピボット４０Ｂとを含む。このピボット４０Ｂは、第３の枢動軸Ａ３に沿って、第２の引き出し要素６０内に含まれる相補的ピボット６０Ｂと協働する。第１の引き出し要素４０と同様に、第２の引き出し要素６０はレバーを形成し、第２の枢動軸Ａ２を挟んで、一方でムーブメント・ステム２内に含まれるハウジング６１の内部で特に並進移動可能な第２の引き出し要素のアーム部６０Ａと、他方では相補的ピボット６０Ｂとを含む。第２の引き出し要素６０は、スライドピニオン・レバー５２を駆動して、スライドピニオン８を移動させる。
【００２５】
２つの引き出し要素を備えた単純で有利な実施形態において本明細書で説明される引き出し機構は、本発明の技術的思想から逸脱することなく同じピボット方式で互いに協働するより多くの引き出し要素を含むことができる。
【００２６】
図２から分かるように、第１の引き出し要素のアーム部４０Ａは、第１のステム１に含まれる第１の溝４１内に係合されることが好ましい。第１の溝４１の幅は、アーム部４０Ａが枢動できるだけのサイズである。従って、制御ステム１の長手方向の移動は、最小の遊びを有した状態で、第１の引き出し要素４０及び第２の引き出し要素６０から形成されるリンク機構に伝えられる。
【００２７】
第２の引き出し要素アーム部６０Ａは、ムーブメント・ステム２に含まれる第２の溝６１内に係合されることが好ましい。ムーブメント・ステム２は、並進的には不動にされ、従って、溝６１の幅は、第２の引き出し要素アーム部６０ａのための間隙が与えられるように、第２の引き出し要素アーム部６０ａの幅よりも大きいことが好ましい。
【００２８】
スライドピニオン・レバー５２は、好ましくは内部の溝５１との協働を介して、スライドピニオン８に並進的に結合されるアーム部５３を含み、該アーム部はここで、第１の引き出し要素アーム部４０Ａと第１の溝４１との間の協働と同様にして最小の作動上の遊びで係合される。
【００２９】
図２〜図５から分かるように、第１の枢動軸Ａ１と第２の枢動軸Ａ２は、相互に平行であるのが好ましい。また、有利には、制御ステム１への作用の間、第１の引き出し要素４０及び第２の引き出し要素６０に対して同一の角度クリアランスを確保するように、第２の枢動軸Ａ２は第１の枢動軸Ａ１と整列される。
【００３０】
ムーブメントの高さに配置され又は内部に統合された第２の引き出し要素６０は、制御ステム１により第１の引き出し要素４０に与えられる偏心運動を全く同様に再現することによって、スライドピニオン・レバー５２を作動させるために使用されることは明らかである。特定の実施形態においては、図３で分かるように、第２の引き出し要素６０は、枢動軸Ａ４を中心に枢動できコネクタを介したスライドピニオン・レバー５２との連結部を含む。
【００３１】
伝達手段５に関しては、好ましくは、奇数の中間ピニオン４５を含み、ムーブメント・ステム２が、制御ステム１と同じ回転方向で駆動されるようにする。このピニオン４５の数は、１よりも大きいか又はこれと等しい。有利には、経済的な実施形態の場合、中間ピニオン４５の各々の軸が、ムーブメント・ステム２の軸４と平行である。
【００３２】
好ましくは、これらの中間ピニオン４５の少なくとも１つの軸は、２つの軸、すなわち制御ステム１の長手方向軸３及びムーブメント・ステム２の軸４が同一平面上にあり、好ましくは平行であるときに、これらの軸によって形成される平面に対してずらされる。中間ピニオン４５のこのずらされた位置により、装置１００が、制御ステム１とムーブメント・ステム２との間の何れかの所望の中心間距離値に適合させることが可能になる。
【００３３】
図１及び図２から分かるように、装置１００は、ムーブメント・プレート１１に固定されるように配置され、制御ステム１を回転誘導するための手段１７を含む、追加プレート１６を含むことが好ましい。
【００３４】
装置１００は更に、ボックス７０を含み、該ボックス７０は、追加プレート１６に固定して配置され、該ボックス７０を閉鎖するように配置されたロッキング・フランジ１５と協働して伝達手段５を含み、該伝達手段５用の回転誘導手段を形成する。図１から分かるように、この回転誘導手段は、特に、フランジ１５上に配置された軸受７５と、ボックス７０上の軸受７６とを形成することができる。当然、伝達手段５がまた、ピニオン４５タイプの複数の中間ピニオンを含む場合には、ボックス７０及びロック・フランジ１５上に同じ数の同様の軸受が配置される。
【００３５】
有利には、図２から分かるように、追加プレート１６は、第１の引き出し要素４０内に含まれ、且つ第１の枢動軸Ａ１を形成するピボット７１を受けるように配置された少なくとも１つの軸受７３を含む。
【００３６】
軸受７３の反対側では、ムーブメント・プレート１１は、第２の引き出し要素６０内に含まれ、且つ第２の枢動軸Ａ２を形成するピボット７２を受けるように配置された少なくとも１つの軸受７４を含む。
【００３７】
本発明はまた、ムーブメント・プレート１１内で軸４を中心に回転でき且つスライドピニオン８が回転伝達をなすように結合されたムーブメント・ステム２を含む、上述のタイプの少なくとも１つの時計ムーブメントを含む時計に関する。このスライドピニオン８は、スライドピニオン・レバー５２の（軸４に沿った）並進作用により、一方では、スライドピニオン８が、巻き上げ機構２０と協働して該巻き上げ機構を回転的に動作させる巻き上げ位置と、他方では、スライドピニオン８が時刻設定機構２４と協働して該時刻設定機構を回転的に設定する時刻設定位置との間で、軸方向に移動する。本発明によれば、この時計は、これらのムーブメントの１つに関連した少なくとも１つの装置１００を含む。
【００３８】
この時計ムーブメント・ステム２は、並進的には不動であることが好ましい。図示されていない変形形態によれば、ムーブメント・ステム２は、摺動することができ、且つスライドピニオン８に固定することができる。その結果、ピニオン４４は、摺動中に中間ピニオン４５との噛み合いを持続するためにより長くなければならない。更に、巻き上げピニオン２１は、ムーブメント・ステム２と共に摺動しないように軸方向に保持されなければならず、すなわち、この構造の長さは、図１に示されるものよりも僅かに長くなる。
【符号の説明】
【００３９】
１  制御ステム；  ２  ムーブメント・ステム；  ３、４  軸；  ５  伝達装置；  
６  引き出し機構；  ８  スライドピニオン；  １１  ムーブメント・プレート；  
１５  フランジ；  １６  追加プレート；  １７  手段；  ２０  巻き上げ機構；  
２１  巻き上げピニオン；  ２４  時刻設定機構；  ２５  作動機構中間ホイール；  
４０  第１の引き出し要素；  ４０Ａ、５３、６０Ａ  アーム部；  
４０Ｂ、７２  ピボット；  ４１、５１、６１  溝；  ４３  ボア；  
４４  ピニオン；  ４５  中間ピニオン；  ４７、４８  コントレート歯；  
４９  直線歯  ；  ５２  スライドピニオン・レバー；  ６０  第２の引き出し要素；  
６０Ｂ  相補的ピボット；  ７０  ボックス；  ７４  軸受。
【図１】
2011185938.tif 000003
【図２】
2011185938.tif 000004
【図３】
2011185938.tif 000005
【図４】
2011185938.tif 000006
【図５】
2011185938.tif 000007